(57)【特許請求の範囲】
【請求項１】
登録された複数の映像素材を繋ぎ合わせて所望の編集映像を得るための編集内容を規定した編集リストを作成する編集リスト作成装置において、
上記編集映像における時間軸に対応させて上記映像素材を表すクリツプを配置するためのビデオトラツクと、上記映像素材に対して実行されるトラジシヨン処理に対応し第１の色を有する第１のマーク及び上記映像素材に対して実行されるアニメーシヨン処理に対応し第２の色を有する第２のマークを配置するために設けられ、上記時間軸に対応したエフエクトトラツクを表示装置に表示する表示制御手段と、
オペレータの操作に応じて上記エフエクトトラツク上に上記第１及び第２のマークのうち少なくとも一つのマークが配置されると、当該配置されたマークごとに、上記映像素材に対して対応する上記トランジシヨン処理又は上記アニメーシヨン処理を当該マークが配置された時間に実行するよう設定をする映像処理設定手段と、
上記トランジシヨン処理又は上記アニメーシヨン処理を実行するよう設定された上記映像素材に対する機能モードを設定するモード設定手段と、
を具え、
上記表示制御手段は、
上記機能モードとして２つの映像を重ね合わせるキーモードが上記映像素材に対して設定されている場合には、当該映像素材に設定された上記トランジシヨン処理又は上記アニメーシヨン処理に対応する上記配置されたマークを第３の色で表示する
ことを特徴とする編集リスト作成装置。
【請求項２】
上記第１及び第２の色は、
同系色でなる
ことを特徴とする請求項１に記載の編集リスト作成装置。
【請求項３】
上記表示制御手段は、
上記クリツプ上に配置された上記第１及び第２のマークに対する上記オペレータの操作に応じて、上記機能モードの設定を行うための設定画面を表示する
ことを特徴とする請求項１に記載の編集リスト作成装置。
【請求項４】
上記表示制御手段は、
上記クリツプ上に配置された上記第１及び第２のマークに対する上記オペレータの操作に応じて、上記トランジシヨン処理又は上記アニメーシヨン処理に対するパラメータの設定を行うための設定画面を表示する
ことを特徴とする請求項１に記載の編集リスト作成装置。
【請求項５】
上記表示制御手段は、
上記設定画面において上記キーモードの設定の有無を上記オペレータに選択させるための画像を表示する
ことを特徴とする請求項３に記載の編集リスト作成装置。
【請求項６】
上記表示制御手段は、
上記第１及び第２のマークを種類ごとに分類すると共に、上記オペレータによつて選択された任意の種類ごとに上記第１及び第２のマークを表示する
ことを特徴とする請求項１に記載の編集リスト作成装置。
【発明の詳細な説明】
【０００１】
【発明の属する技術分野】
本発明は編集リスト作成装置に関し、登録された複数の映像素材を繋ぎ合わせて所望の編集映像を得るための編集内容を規定した編集リストを作成し得るようになされた編集装置に適用して好適なものである。
【０００２】
【従来の技術】
従来、この種の編集装置として、図１２に示すように、ＧＵＩ（Graphical User Interface）画面でなる編集リスト作成画面上にタイムスケール（時間軸）１００と、これに沿つて設けられた第１のビデオトラツク１０１Ａ、エフエクトトラツク１０１Ｂ及び第２のビデオトラツク１０１Ｃとが表示され、マウス操作により第１及び第２のビデオトラツク１０１Ａ、１０１Ｃ上に所望する映像素材の素材長に応じた第１、第２の枠１０２Ａ、１０２Ｂをタイムスケール１００上で連続するように順次表示させるようにして編集リストを作成し得るようになされたものがある。
【０００３】
そしてかかる編集装置では、第１及び第２の枠１０１Ａ、１０１Ｃがタイムスケール上で重なる位置に位置するように、所望する映像特殊効果処理に応じたアイコン１０３をエフエクトトラツク１０１Ｂ上に表示させることにより、第１の枠１０２Ａに対応する第１の映像素材と、第２の枠１０２Ｂに対応する第２の映像素材との切り換わり時に当該映像特殊効果処理を実行するように設定し得るようになされている。
【０００４】
【発明が解決しようとする課題】
ところで一般的に映像特殊効果は、図１３（Ａ）のように第１の映像ＭＶ１から別の第２の映像ＭＶ２に切り替えるトランジシヨン系のもの（例えばワイプ）と、図１３（Ｂ）のように第１の映像ＭＶ１に対して別の第２の映像ＭＶ２を一時的に表示するアニメーシヨン系のもの（例えばピクチヤ・イン・ピクチヤ）との２種類に分けることができる。
【０００５】
そしてこれらトランジシヨン系及びアニメーシヨン系の各映像特殊効果は、例えばアニメーシヨン系の映像特殊効果では第１の映像ＭＶ１よりも第２の映像ＭＶ１の方が短い時間である必要があるなど、利用できる映像の組み合わせが異なる。
【０００６】
ところが上述した従来の編集装置では、各アイコン１０３にそれぞれ対応する映像特殊効果がトランジシヨン系及びアニメーシヨン系のいずれであるかなどの表示がなされず、オペレータの知識にのみに頼つていた。
【０００７】
このためかかる編集装置では、オペレータがエフエクトトラツク１０１Ｂ上にアイコン１０３を表示させた段階で呈示されるエラー表示によつてだけしかそのアイコン１０３に対応する映像特殊効果を使用できるか否かを判別する手立てがなく、また例えばエラー表示された場合には再度所望する映像特殊効果を選択しなければならない問題があつた。
【０００８】
さらに上述した編集装置として、オペレータの使い勝手を向上させることを目的として、映像特殊効果について先行して設定したパラメータ値や各種機能モードをその設定を変更するまで引き継ぐように構築されたものがある。
【０００９】
しかしながらこのような編集装置では、各種機能モードについて設定されているか否かはエフエクトトラツク１０１Ｂ上に表示されたアイコン１０３を見ても識別できず、各種機能モードがオン設定されていることを意識していないと、編集映像が予期しない状態となることにより装置が故障したと間違え易い問題があつた。特に、２つの映像を重ね合わせて表示するいわゆるキー処理は、設定によつては誤解し易いものであつた。
【００１０】
従つて編集装置において、使用しようとする映像特殊効果がトランジシヨン系及びアニメーシヨン系のいずれであるかを容易に識別でき、また映像特殊効果処理について特定の機能モードがオン設定されているか否かを容易に判別し得るようにすることができれば、編集リストの作成作業の作業効率を向上させ得るものと考えられる。
【００１１】
本発明は以上の点を考慮してなされたもので、編集リストの作成作業の作業効率を格段的に向上させ得る編集リスト作成装置を提案しようとするものである。
【００１２】
【課題を解決するための手段】
かかる課題を解決するため本発明においては、登録された複数の映像素材を繋ぎ合わせて所望の編集映像を得るための編集内容を規定した編集リストを作成する編集リスト作成装置において、編集映像における時間軸に対応させて映像素材を表すクリツプを配置するためのビデオトラツクと、映像素材に対して実行されるトラジシヨン処理に対応し第１の色を有する第１のマーク及び映像素材に対して実行されるアニメーシヨン処理に対応し第２の色を有する第２のマークを配置するために設けられ、時間軸に対応したエフエクトトラツクをを表示装置に表示する表示制御手段と、オペレータの操作に応じてエフエクトトラツク上に第１及び第２のマークのうち少なくとも一つのマークが配置されると、当該配置されたマークごとに、映像素材に対して対応するトランジシヨン処理又はアニメーシヨン処理を当該マークが配置された時間に実行するよう設定をする映像処理設定手段と、トランジシヨン処理又はアニメーシヨン処理を実行するよう設定された映像素材に対する機能モードを設定するモード設定手段とを設け、表示制御手段は、機能モードとして２つの映像を重ね合わせるキーモードが映像素材に対して設定されている場合には、当該映像素材に設定されたトランジシヨン処理又はアニメーシヨン処理に対応する配置されたマークを第３の色で表示するようにした。
【００１３】
この結果この編集リスト作成装置では、第１又は第２のマークの色に基づいて対応する映像特殊処理がトランジシヨン処理又はアニメーシヨン処理のいずれであるかをオペレータに対して容易かつ瞬時に判断させ得ると共に、マークが配置された映像素材にキーモードが設定されているか否かをオペレータに対して容易かつ瞬時に判断させ得る。
【００１６】
【発明の実施の形態】
以下図面について、本発明の一実施の形態を詳述する。
【００１７】
（１）本実施の形態による編集装置の構成
図１において、１は全体として本実施の形態による編集装置を示し、ビデオテープに記録された映像音声の所望部分をクリツプとして登録し得る一方、必要に応じて所望するクリツプの映像信号及び音声信号をハードデイスク装置２に取り込み得るようになされている。
【００１８】
またこの編集装置１では、登録された各クリツプを所望状態に繋ぎ合わせて所望の編集映像音声を得るための編集内容を規定した編集リストを作成でき、さらにこの作成した編集リストに従つて実際に編集処理を実行し、得られた編集映像及び編集音声をビデオテープに記録することができるようになされている。
【００１９】
すなわちこの編集装置１は、主制御部３、システム制御部４、映像入力部５、映像出力部６、デイジタル映像音声入出力部７、映像特殊効果処理部８、音声入出力／ミキサ部９及びデイスク制御部１０がコントロールバス１１を介して相互に接続されることにより構成されている。
【００２０】
この場合主制御部３は、初期時、デイスプレイ１２に所定の操作画面（以下、これをメイン画面と呼ぶ）を表示させる。また主制御部３は、この状態においてマウス１３が操作されることにより、クリツプ登録モードが選択され、当該編集装置１に接続された複数台のビデオテープレコーダ１４Ａ〜１４Ｄのなかから１台のビデオテープレコーダ１４Ａ〜１４Ｄの再生動作命令が入力されると、これに応じた制御コマンドＣ１をシステム制御部４に送出する。
【００２１】
システム制御部４は、供給される制御コマンドＣ１に基づいて、対応するビデオテープレコーダ１４Ａ〜１４Ｄに制御信号Ｓ１を送出することにより、ビデオテープに記録された映像信号及び音声信号の再生動作を実行させる。
【００２２】
この結果このビデオテープレコーダ１４Ａ〜１４Ｄからはアナログ映像信号Ｓ２及びアナログ音声信号Ｓ３と、デイジタル映像信号Ｓ４及びデイジタル音声信号Ｓ５とが出力され、アナログ映像信号Ｓ２及びアナログ音声信号Ｓ３がそれぞれ映像入力部５又は音声入出力／ミキサ部９に与えられ、デイジタル映像信号Ｓ４及びデイジタル音声信号Ｓ５がデイジタル映像音声入出力部７に与えられる。
【００２３】
またこのときシステム制御部４は、コントロールバス１１を介して映像入力部５及び音声入出力／ミキサ部９と、デイジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、デイジタル映像信号Ｓ４及びデイジタル音声信号Ｓ５とのうちのいずれか一方のみを取り込ませる。
【００２４】
かくして映像入力部５を介してアナログ映像信号Ｓ２が取り込まれた場合には、これが映像入力部５においてデイジタル変換された後デイジタル映像信号Ｓ６として映像特殊効果処理部８に与えられ、デイジタル映像音声入出力部７を介してデイジタル映像信号Ｓ４が取り込まれた場合には、これがそのまま映像特殊効果処理部８に与えられる。
【００２５】
映像特殊効果処理部８は、システム制御部４の制御のもとに、映像入力部５又はデイジタル映像音声入出力部７から供給されるデイジタル映像信号Ｓ６、Ｓ４を主制御部３に送出する。かくしてこのときデイスプレイ１２には、主制御部４の制御のもとにデイジタル映像信号Ｓ６、Ｓ４に基づく映像がメイン画面上の所定位置に表示される。
【００２６】
またこのときアナログ音声信号Ｓ３が取り込まれた場合には、これがそのまま音声入出力／ミキサ部９から図示しないスピーカに送出され、またデイジタル音声信号Ｓ５が取り込まれた場合には、これが音声入出力／ミキサ部９においてアナログ変換された後、スピーカに送出される。
【００２７】
これによりこの編集装置１では、デイスプレイ１２に表示された映像及びスピーカから出力される音声に基づいて、オペレータがマウス１３及びキーボード１５を用いて映像及び音声の所望部分を指定することができ、さらにこれをクリツプとしてそのイン点及びアウト点のタイムコードや素材長（デユレーシヨン）等の関連データを主制御部３内に登録することができるようになされている。
【００２８】
また主制御部３は、このとき予め取込みモードが選択されている場合には、これに応じた制御コマンドＣ１をシステム制御部４に送出する。
【００２９】
システム制御部４は、供給される制御コマンドＣ１に基づいて、対応するビデオテープレコーダ１４Ａ〜１４Ｄに制御信号Ｓ１を送出することにより、指定されたクリツプの映像音声を当該ビデオテープレコーダ１４Ａ〜１４Ｄに再生させる一方、映像入力部５及び音声入出力／ミキサ部９と、デイジタル映像音声入出力部７とのいずれか一方をコントロールバス１１を介して制御することにより、ビデオテープレコーダ１４Ａ〜１４Ｄから出力されるアナログ映像信号Ｓ２及びアナログ音声信号Ｓ３と、デイジタル映像信号Ｓ４及びデイジタル音声信号Ｓ５とのうちのいずれか一方を取り込ませる。
【００３０】
この結果映像入力部５を介してアナログ映像信号Ｓ２が取り込まれた場合には、これが映像入力部５においてデイジタル変換された後デイジタル映像信号Ｓ６として映像特殊効果処理部８を介してデイスク制御部１０に送出され、デイジタル映像音声入出力部７を介してデイジタル映像信号Ｓ４が取り込まれた場合には、これがそのままデイスク制御部１０に送出される。
【００３１】
またこのとき音声入出力／ミキサ部９を介してアナログ音声信号Ｓ３が取り込まれた場合には、これが音声入出力／ミキサ部９においてデイジタル変換された後デイジタル音声信号Ｓ７としてデイスク制御部１０に送出され、デイジタル映像音声入出力部９を介してデイジタル音声信号Ｓ５が取り込まれた場合には、これが直接デイスク制御部１０に送出される。
【００３２】
そしてデイスク制御部１０は、このときシステム制御部４からコントロールバス１１を介して与えられるコマンドに基づいて、映像特殊効果処理部８又はデイジタル映像音声入出力部７から与えられるデイジタル映像信号Ｓ６、Ｓ４と、音声入出力／ミキサ部９又はデイジタル映像音声入出力部７から与えられるデイジタル音声信号Ｓ７、Ｓ５とを順次取り込み、これらをハードデイスク装置２に与えてハードデイスクの指定されたアドレス位置に記録させる。
【００３３】
このようにしてこの編集装置１においては、指定されたクリツプの映像音声をビデオテープから再生してハードデイスク装置２に取り込むことができるようになされている。
【００３４】
一方主制御部３は、上述のようにしてクリツプが登録されると、デイスプレイ１２に表示されているメイン画面内に、登録されたクリツプのリストを表示させる。
【００３５】
そしてオペレータは、このメイン画面を用いてどのクリツプとどのクリツプとをどのように繋ぎ合わせるかといつた編集内容を規定した編集データを編集リストとして作成することができる。またオペレータは、編集リストの作成後又は作成途中において、その編集リストに基づく編集映像及び編集音声を確認することができる。
【００３６】
実際上、主制御部３は、編集リストの作成後又は作成途中において、その編集リストに基づく編集映像音声のプレビユーモードが選択されると、これに応じた制御コマンドＣ１をシステム制御部４に送出する。
【００３７】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリツプの映像音声を再生させる一方、必要に応じてコントロールバス１１を介してデイスク制御部１０を制御することにより、編集処理に利用するクリツプの映像音声をハードデイスク装置２から再生させる。
【００３８】
この結果このビデオテープレコーダ１４Ａ〜１４Ｄからは指定されたクリツプのアナログ映像信号Ｓ２及びアナログ音声信号Ｓ３と、デイジタル映像信号Ｓ４及びデイジタル音声信号Ｓ５とが出力され、アナログ映像信号Ｓ２及びアナログ音声信号Ｓ３がそれぞれ映像入力部５又は音声入出力／ミキサ部９に与えられ、デイジタル映像信号Ｓ４及びデイジタル音声信号Ｓ５がデイジタル映像音声入出力部７に与えられる。
【００３９】
このときシステム制御部４は、コントロールバス１１を介して映像入力部５及び音声入出力／ミキサ部９と、デイジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、デイジタル映像信号Ｓ４及びデイジタル音声信号Ｓ５とのうちのいずれか一方のみを取り込ませる。
【００４０】
かくして映像入力部５を介してアナログ映像信号Ｓ２が取り込まれた場合には、これが映像入力部５においてデイジタル変換された後デイジタル映像信号Ｓ６として映像特殊効果処理部８に与えられ、デイジタル映像音声入出力部７を介してデイジタル映像信号Ｓ４が取り込まれた場合には、これがそのまま映像特殊効果処理部８に与えられる。
【００４１】
映像特殊効果処理部８においては、システム制御部４の制御のもとに、供給される各クリツプのデイジタル映像信号Ｓ６、Ｓ４を必要に応じて指定された状態に特殊効果加工処理する。また映像特殊効果処理部８は、このとき主制御部４から必要に応じて与えられるタイトル文字や各種グラツフイツク等の画像データを各クリツプのデイジタル映像信号Ｓ６、Ｓ４間に挿入し、又はデイジタル映像信号Ｓ６、Ｓ４に重畳し、かくして得られたデイジタル編集映像信号Ｓ８を映像出力部６に送出する。
【００４２】
映像出力部６は、システム制御部４の制御のもとに、供給されるデイジタル編集映像信号Ｓ８をアナログ変換し、得られた編集映像信号Ｓ９をモニタ１６に送出する。
【００４３】
一方このときビデオテープレコーダ１４Ａ〜１４Ｄから出力されたアナログ音声信号Ｓ３及びデイジタル音声信号Ｓ５のうち、音声入出力／ミキサ部９を介してアナログ音声信号Ｓ３が取り込まれた場合には、これが音声入出力／ミキサ部９において必要に応じてミキシング等の編集処理が施された後編集音声信号としてスピーカに送出され、デイジタル映像音声入出力部７を介してデイジタル音声信号Ｓ５が取り込まれた場合には、これが音声入出力／ミキサ部９においてアナログ変換され、ミキシング等の編集処理が施された後、編集音声信号としてスピーカに送出される。
【００４４】
この結果この編集装置１においては、モニタ１６に編集映像信号Ｓ９に基づく編集映像が表示されると共にスピーカから編集音声信号に基づく編集音声が出力され、かくしてオペレータが編集リストに基づく編集映像及び編集音声を確認することができる。
【００４５】
さらに主制御部３は、編集リストが作成された後、マウス１３又はキーボード１５が操作されてその実行命令が入力されると、これに応じた制御コマンドＣ１をシステム制御部４に送出する。
【００４６】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリツプの映像音声を再生させる一方、必要に応じてコントロールバス１１を介してデイスク制御部１０を制御することにより、ハードデイスク装置２から編集処理に利用するクリツプの映像音声を再生させる。
【００４７】
この結果上述のプレビユーモード時と同様にして、映像特殊効果処理部８には、ビデオテープレコーダ１４Ａ〜１４Ｄから映像入力部５若しくはデイジタル映像音声入出力部７を経由して必要なクリツプのデイジタル映像信号Ｓ６、Ｓ４が与えられ、又はハードデイスク装置２からデイスク制御部１０を経由して必要なクリツプのデイジタル映像信号Ｓ６、Ｓ４が与えられる。
【００４８】
またこのとき音声入出力／ミキサ部９には、ビデオテープレコーダ１４Ａ〜１４Ｄから直接若しくはデイジタル映像音声入出力部７を経由して必要なクリツプのアナログ音声信号Ｓ３若しくはデイジタル音声信号Ｓ５が与えられ、又はハードデイスク装置２からデイスク制御部１０を経由して必要なクリツプのデイジタル音声信号Ｓ７、Ｓ５が与えられる。
【００４９】
そして映像特殊効果処理部８は、システム制御部４の制御のもとに、上述のプレビユーモード時と同様にして、供給される各クリツプのデイジタル映像信号Ｓ６、Ｓ４を必要に応じて特殊効果加工処理し、かくして得られた編集映像の映像信号でなるデイジタル編集映像信号Ｓ８を映像出力部６に送出する。
【００５０】
映像出力部６は、システム制御部４の制御のもとに、供給されるデイジタル編集映像信号Ｓ８をアナログ変換し、得られた編集映像信号Ｓ９を対応するビデオテープレコーダ１４Ａ〜１４Ｄに送出する。
【００５１】
またこのとき音声入出力／ミキサ部９は、システム制御部の制御のもとに、上述のプレビユーモード時と同様にして、供給される各クリツプのアナログ音声信号Ｓ２又はデイジタル音声信号Ｓ５、Ｓ７に対して必要に応じてミキシング等の編集処理を施し、かくして得られた編集音声信号Ｓ１０を対応するビデオテープレコーダ１４Ａ〜１４Ｄに送出する。
【００５２】
ビデオテープレコーダ１４Ａ〜１４Ｄは、システム制御部４から与えられる制御信号Ｓ１に基づいて、これら映像出力部６から供給される編集映像信号Ｓ９と、音声入出力／ミキサ部９から供給される編集音声信号Ｓ１０とをビデオテープの指定された位置に記録する。
【００５３】
このようにしてこの編集装置１では、作成された編集リストに従つて指定されたクリツプの映像音声を指定された状態に編集加工してビデオテープに記録することができるようになされている。
【００５４】
（２）主制御部の構成
ここで主制御部３は、図２に示すように、ＣＰＵ（Central Processing Unit ）２０、ＲＯＭ（Read Only Memory）２１、ＲＡＭ（Random Access Memory）２２、表示処理部２３、タイトル／グラフイツク生成部２４、インターフエース回路２５、２６及びＳＣＳＩ（Small Computer System Interface ）インターフエース回路２８がＣＰＵバス２７を介して接続されることにより構成されており、各インターフエース回路２５、２６をそれぞれ介してマウス１３及びキーボード１５と接続され、ＳＣＳＩインターフエース回路２８を介してハードデイスク装置１７と接続されている。
【００５５】
この場合ＣＰＵ２０は、ＲＯＭ２１に格納されたプログラムに基づいて、必要に応じてＲＯＭ２１内の画像データを読み出し、これを表示処理部２３を介してデイスプレイ１２に与えることにより、後述のようなメイン画面や各種ダイアログ、マウス操作に応動してメイン画面内を移動するカーソル及びキーボード１５を介して入力された数字や文字などをデイスプレイ１２に表示させ、かつ映像特殊効果処理部８からタイトル／グラフイツク生成部２４を介して表示処理部２３に与えられるデイジタル映像信号Ｓ６、Ｓ４に基づく映像や静止画像をメイン画面内の所定位置に表示させる。
【００５６】
またＣＰＵ２０は、例えばマウス１３やキーボード１５が操作されることにより所定処理の実行命令がインターフエース回路２５、２６を介して与えられると、ＲＯＭ２１に格納されたプログラムに基づいて、必要に応じてシステム制御部４に制御コマンドＣ１を送出することにより、当該システム制御部４を介して対応するビデオテープレコーダ１４Ａ〜１４Ｄ、映像入出力部５、映像出力部６、デイジタル映像音声入出力部７、映像特殊効果処理部８、音声入出力／ミキサ部９及び又はデイスク制御部１０に所定動作を実行させ、かくして編集装置１全体として上述したような各種処理を実行させる。
【００５７】
さらにＣＰＵ２０は、ＲＯＭ２１に格納されたプログラムに基づいて、必要時にはタイトル／グラフツク生成部２４を制御してタイトル文字やグラフイツクの画像データを生成させてこれを映像特殊効果処理部８に送出させ、かくしてこれらタイトル文字やグラフイツクを編集映像に反映させるようになされている。
【００５８】
（３）メイン画面における操作手順
ここで実際上ＣＰＵ２０は、電源が投入された立ち上がり時、ＲＯＭ２１に格納されているプログラムに基づいて、まず図３に示すようなメイン画面３０をデイスプレイ１２に表示させる。
【００５９】
このメイン画面３０には、オペレータが所望する処理内容を選択するための複数のボタン３１Ａ〜３１Ｑと、登録された各クリツプのリスト等を表示するためのクリツプ情報表示部３２と、編集リスト作成時における各種処理を指定するための複数のボタン３３Ａ〜３３Ｔと、編集リストを作成するための編集リスト作成部３５とが設けられている。
【００６０】
そしてこのメイン画面３０では、画面上段のビデオクリツプエデイツトボタン３１Ｋをクリツクすることによつて、図４のようなダイアログ（以下、これをビデオクリツプエデイツトダイアログと呼ぶ）４０をメイン画面３０上に重ねて表示させることができる。
【００６１】
この場合ビデオクリツプエデイツトダイアログ４０では、左側上段に各ビデオテープレコーダ１４Ａ〜１４Ｄにそれぞれ対応させてソース選択ボタン４１Ａ〜４１Ｄが複数表示されており、マウス操作によりこれらソース選択ボタン４１Ａ〜４１Ｄのうちのいずれか１つをクリツクすることにより所望の１台のビデオテープレコーダ１４Ａ〜１４Ｄを選択することができる。
【００６２】
そしてオペレータは、いずれかのソース選択ボタン１４Ａ〜１４Ｄを選択した後、当該ビデオクリツプエデイツトダイアログ４０内に表示されたいずれかのビデオ操作用ボタン４２Ａ〜４２Ｇをクリツクすることによつて、対応するビデオテープレコーダ１４Ａ〜１４Ｄに選択したビデオ操作用ボタン４２Ａ〜４２Ｇに応じた動作を実行させることができる。なおビデオクリツプエデイツトダイアログ４０内のスライダ４３をドラツグ操作することによつても、同様にして対応するビデオテープレコーダ１４Ａ〜１４Ｄに再生動作を実行させることができる。そしてこのときビデオテープレコーダ１４Ａ〜１４Ｄに再生動作や変速再生動作を実行させた場合、当該ビデオテープレコーダ１４Ａ〜１４Ｄによりビデオテープから再生された映像がこのビデオクリツプエデイツトダイアログ４０内のライブ映像表示部４４内に表示される。
【００６３】
かくしてオペレータは、このライブ映像表示部４４内に表示された映像を目視確認しながらイン点指定用ボタン４５又はアウト点指定用ボタン４６をクリツクすることによつてクリツプとして登録しようとする映像部分のイン点及びアウト点を指定することができる。そしてこのとき指定されたイン点及びアウト点の画像がそれぞれイン点画像表示部４７又はアウト点画像表示部４８内に表示される。
【００６４】
またこのときイン点又はアウト点として指定された各画像のビデオテープにおけるタイムコードがそれぞれイン点タイムコード表示部４９又はアウト点タイムコード表示部５０にそれぞれ表示され、指定されたクリツプの素材長（デユレーシヨン）がデユレーシヨン表示部５１に表示される。
【００６５】
なおビデオクリツプエデイツトダイアログ４０では、コマ送りボタン５２Ａ、５２Ｂをクリツクすることによつて、ライブ映像表示部４４内に表示された映像を順方向又は逆方向にコマ送り表示させることができ、またライブ映像移動ボタン５３、５４をクリツクすることによつてライブ映像表示部４４内の表示画像をイン点又はアウト点まで移動させることができる。
【００６６】
そしてオペレータは、上述のようにしてクリツプのイン点及びアウト点を指定した後登録ボタン５５をクリツクすることによつて、その映像のイン点からアウト点までの部分をクリツプとして登録することができる。
【００６７】
このときデイスプレイ１２に表示されているそのクリツプのイン点及びアウト点のタイムコードや、素材長及び保存位置（ビデオテープ又はハードデイスク装置２内）等の関連データがデータベースとしてＲＡＭ２２に取り込まれる。またこのようにして登録したクリツプのイン点及びアウト点のタイムコードや素材長等の関連データが図５のようにメイン画面３０のクリツプ情報表示部３２内に表示される。
【００６８】
さらにこのとき例えばビデオクリツプエデイツトダイアログ４０のモアボタン５６を選択することによつて開くことのできる図示しない設定画面上で予め取込みモードを選択している場合には、このクリツプの映像音声が上述のようにしてハードデイスク装置２に取り込まれ、かつそのクリツプの保存位置がハードデイスク装置２内であることを表すデータ（例えばフラグ）がデータベース内の対応する位置に格納される。
【００６９】
因にこのときこの編集装置１では、このクリツプの映像信号及び音声信号を指定された範囲（すなわち指定されたイン点からアウト点まで）よりも前後所定時間分（例えば２秒分）だけ余分にハードデイスク装置２に取り込まれる。またこのとき例えば上述の設定画面上で予めリンクモードを選択している場合には映像及び音声がデータとしてリンクしてハードデイスク装置２に取り込まれる一方、ノンリンクモードを選択している場合には映像及び音声がデータとしてリンクされないでハードデイスク装置２に取り込まれる。
【００７０】
そしてビデオクリツプエデイツトダイアログ４０では、ニユーエデイツトボタン５７をクリツクすることによつて初期状態に戻すことができ、これによりオペレータがこの後上述と同様の手順により他のクリツプを順次登録することができる。またこのビデオクリツプエデイツトダイアログ４０はクローズボタン５８をクリツクすることによつてクローズさせることができる。
【００７１】
一方オペレータは、上述のようにしてメイン画面３０のクリツプ情報表示部３２に登録されたクリツプのリストが表示された状態（図５）において、このメイン画面３０の編集リスト作成部３５を利用して以下の方法により編集リストを作成することができる。
【００７２】
この場合まずマウス操作によりクリツプ情報表示部３２内の所望のクリツプの段にカーソルを合わせた後、マウス１３のボタンを押下するようにして１つのクリツプを指定し、その状態のままカーソルを、編集リスト作成部３５のタイムスケール３５Ａを指標として、第１又は第２のビデオトラツク３５Ｃ、３５Ｅ内の所望位置に移動させた後、マウス１３のボタンを放すようにする。
【００７３】
この結果図６に示すように、この第１又は第２のビデオトラツク３５Ｃ、３５Ｅ内にそのときのカーソルの位置を先頭として、上述のようにして指定されたクリツプの素材長に応じた長さの枠６０Ａ〜６０Ｄが表示される。またこのときそのクリツプの映像と音声がリンクされて登録されている場合には、その枠６０Ａ〜６０Ｄが表示された第１又は第２のビデオトラツク３５Ｃ、３５Ｄと対応する第１又は第２のオーデイオトラツク３５Ｇ、３５Ｈ上に第１又は第２のビデオトラツク３５Ｃ、３５Ｅ内に表示された枠６０Ａ〜６０Ｄとタイムスケール３５Ａ上で同じ位置に同じ長さの枠６１Ａ〜６１Ｄが表示される。
【００７４】
そしてオペレータは、上述のような操作を繰り返し行い、タイムスケール３５Ａの始めのタイムコード（「00:00.00:00 」）から所望するタイムコードまで（すなわち所望する時間分だけ）タイムスケール３５Ａ上において連続するように、第１又は第２のビデオトラツク３５Ｃ、３５Ｅと、第１又は第２のオーデイオトラツク３５Ｇ、３５Ｈとに順次枠６０Ａ〜６０Ｄ、６１Ａ〜６１Ｄを表示させるようにする。
【００７５】
ここでこのように編集リスト表示部３５の第１又は第２のビデオトラツク３５Ｃ、３５Ｅや、第１又は第２のオーデイオトラツク３５Ｇ、３５Ｈに枠６０Ａ〜６０Ｄ、６１Ａ〜６１Ｄが表示されることは、編集映像音声の出力時にタイムスケール３５Ａで表された時間にその枠６０Ａ〜６０Ｄ、６１Ａ〜６１Ｄに対応するクリツプの映像が表示され又は音声が出力されることを意味する。従つてこのような操作により編集映像として表示され、又は編集音声として出力されるクリツプ映像又は音声を順次規定してなる編集リストを作成することができる。
【００７６】
またこのようにして編集リストを作成する際、例えば第１のクリツプの映像から第２のクリツプの映像への切り換わり時に映像特殊効果処理を施したいとき（すなわちトンジシヨン系の映像特殊効果処理を施したいとき）には、先行する第１のクリツプに対応する第１の枠６０Ａを一方の第１又は第２のビデオトラツク３５Ｃ、３５Ｅに表示させると共に、当該第１の枠６０Ａの後側の一部とその前側の一部がタイムスケール３５Ａでのタイムコードが重なるように、後行する第２のクリツプに対応する第２の枠６０Ｂを他方の第２又は第１のビデオトラツク３５Ｅ、３５Ｃ上に表示させる。
【００７７】
続いて画面中段部のセレクトエフエクトボタン３３Ｒをクリツクする。この結果メイン画面３０上に、例えば図７のような実行できる各種映像特殊効果処理の内容を表すアイコン（以下、これらをエフエクトアイコンと呼ぶ）６３Ａ〜６３Ｙが複数表示された所定のダイアログ（以下、これをセレクトエフエクトダイアログと呼ぶ）６２を表示させることができる。
【００７８】
なおこのセレクトエフエクトダイアログ６２では、実行できる各種映像特殊効果処理がいくつかのタイプ（「Cut 」、「Dissolve」、「Wipe」、「2D」、「Screen」、「3D」及び「ＰinＰ」）に分類されると共に、各タイプにそれぞれ対応させてタブ６４Ａ〜６４Ｇが設けられ、これらタブ６４Ａ〜６４Ｇの中から所望するタイプに対応するタブ６４Ａ〜６４Ｇをクリツクすることによつて対応するタイプの各種映像特殊効果処理のエフエクトアイコン６３Ａ〜６３Ｙを、それまで表示されていたタイプの各映像特殊効果処理のエフエクトアイコン６３Ａ〜６３Ｙに代えてセレクトエフエクトダイアログ６２内に表示させることができる。
【００７９】
そしてオペレータは、上述のようにして所望するトランジシヨン系の映像特殊効果処理のエフエクトアイコン６３Ａ〜６３Ｇをセレクトエフエクトダイアログ内に表示させた後、当該エフエクトアイコン６３Ａ〜６３Ｇ上にカーソルを移動させ、この後マウス１３のボタンを押下し、その状態でカーソルを上述の編集リスト作成部３５のエフエクトトラツク３５Ｄにおける第１及び第２の枠６０Ａ、６０Ｂがタイムスケール３５Ａ上でタイムコードが重なり合う部分に移動させてマウス１３のボタンを放す（ドラツグアンドドロツプ）するようにする。
【００８０】
この結果セレクトエフエクトダイアログ６２内のドラツグされたエフエクトアイコン６３Ａ〜６３Ｙが画面上をカーソルと一体に移動してドロツプされた位置に貼り付けられた状態に表示される。
【００８１】
これにより一方の第１又は第２のビデオトラツク３５Ｃ、３５Ｅに表示された第１の枠６０Ａに対応するクリツプの映像と、他方の第２又は第１のビデオトラツク３５Ｅ、３５Ｃに表示された第２の枠６０Ｂに対応するクリツプの映像との繋ぎ部分において上述のようにして貼り付けられたエフエクトアイコン６３Ａ〜６３Ｙに応じた映像特殊効果処理を実行すべき旨の指示を入力することができる。
【００８２】
一方例えば第１のクリツプの映像の途中で、他の第２のクリツプの映像を一時的に表示させる映像特殊効果処理を施したいとき（すなわちアニメーシヨン系の映像特殊効果処理を施したいとき）には、第１のクリツプに対応する第１の枠６０Ｄを一方の第１又は第２のビデオトラツク３５Ｃ、３５Ｅに表示させると共に、タイムスケール上において当該第１の枠６０Ｄからはみ出さないように、第２のクリツプに対応する第２の枠６０Ｃを他方の第２又は第１のビデオトラツク３５Ｅ、３５Ｃ上に表示させる。
【００８３】
続いて画面中段部のセレクトエフエクトボタン３３Ｒをクリツクすることによりセレクトエフエクトダイアログ６２をオープンさせ、この後所望するアニメーシヨン系の映像特殊効果処理のエフエクトアイコン６３Ａ〜６３Ｙをセレクトエフエクトダイアログ６２内に表示させた後、当該エフエクトアイコン６３Ａ〜６３Ｙをドラツグアンドドロツプにより編集リスト作成３５のエフエクトトラツク３５Ｄにおける第２の枠６０Ｃの一端部とタイムスケール３５Ａ上で重なる位置に移動させて表示させる。またこれと同様にして同じエフエクトアイコン６３Ａ〜６３Ｙを編集リスト作成３５のエフエクトトラツク３５Ｄにおける第２の枠６０Ｃの他端部とタイムスケール３５Ａ上で重なる位置に移動させて表示させる。
【００８４】
これにより一方の第１又は第２のビデオトラツク３５Ｃ、３５Ｅに表示された第１の枠６０Ｄに対応するクリツプの映像の途中において、他方の第２又は第１のビデオトラツク３５Ｅ、３５Ｃに表示された第２の枠６０Ｃに対応するクリツプの映像を、編集リスト作成部３５のエフエクトトラツク３５Ｄに表示されたエフエクトアイコン６３Ａ〜６３Ｙに応じた映像特殊効果処理により一時的に表示させるべき旨の指示を入力することができる。
【００８５】
なおセレクトエフエクトダイアログ６２は、その右側に複数表示されたボタン６５Ａ〜６５Ｅのうちのクローズボタン６５Ａをクリツクすることによりクローズさせることができる。
【００８６】
さらにこのようにして編集リストを作成した後又は編集リストの作成時に、メイン画面３０の画面中段に表示されたプレビユーボタン３３Ｄをクリツクしてプレビユーモードを選択することによつて、上述のようにこの編集リストに基づく編集映像をモニタ１６（図１）に表示させ、また当該編集リストに基づく編集音声をスピーカから出力させることができる。
【００８７】
また上述のようにして編集リストを作成した後、メイン画面３０の画面中段に表示された記録ボタン３３Ｇをクリツクして記録モードを選択することによつて、上述のように当該編集リストに基づく編集処理を実行させ、かくして得られた編集映像及び編集音声を予め指定したビデオテープレコーダ１４Ａ〜１４Ｄを介してビデオテープに記録させることができる。
【００８８】
かかる構成に加えこの編集装置１の場合、メイン画面３０上及びセレクトエフエクトダイアログ６２上等において、トランジシヨン系の映像特殊効果処理のエフエクトアイコン６３Ａ〜６３Ｙと、アニメーシヨン系の映像特殊効果処理のエフエクトアイコン６３Ａ〜６３Ｙとが異なる色で表示される。これによりこの編集装置１では、各エフエクトアイコン６３Ａ〜６３Ｙの色に基づいて対応する映像特殊効果処理がトランジシヨン系及びアニメーシヨン系のいずれであるかをオペレータが容易にかつ瞬時に判別し得るようになされている。
【００８９】
なおこの場合この編集装置１では、トランジシヨン系の映像特殊効果処理に対応するエフエクトアイコン６３Ａ〜６３Ｙは背景以外の部分が青（Ｒ＝０、Ｇ＝０、Ｂ＝128 ）で表示され、アニメーシヨン系の映像特殊効果処理に対応するエフエクトアイコン６３Ａ〜６３Ｙは背景以外の部分がシアン（Ｒ＝０、Ｇ＝128 、Ｂ＝128 ）で表示される。
【００９０】
このようにこの編集装置１においては、トランジシヨン系の映像特殊効果処理に対応するエフエクトアイコン６３Ａ〜６３Ｙと、アニメーシヨン系の映像特殊効果処理に対応するエフエクトアイコン６３Ａ〜６３Ｙの表示色として同系色を選定することにより、これらトランジシヨン系の映像特殊効果処理に対応するエフエクトアイコン６３Ａ〜６３Ｙと、アニメーシヨン系の映像特殊効果処理に対応するエフエクトアイコンとのイメージがかけ離れないように、なるべく近いイメージで表示し得るようになされている。
【００９１】
またこの編集装置１の場合、セレクトエフエクトダイアログ６２のユーザテンプレート６６上又は編集リスト作成部３５のエフエクトトラツク３５Ｄ上に移動されたエフエクトアイコン６３Ａ〜６３Ｙをダブルクリツクすることにより、図８のようなエフエクトセツトアツプダイアログ７０をメイン画面３０上に重ねて表示させることができる。
【００９２】
そしてオペレータは、このエフエクトセツトアツプダイアログ７０を用いて指定した（ダブルクリツクした）エフエクトアイコン６３Ａ〜６３Ｙに対応する映像特殊効果処理について、各種パラメータ値の設定又は変更や、１つの映像に別の映像を重ねて表示するキーモードなどの各種機能モードの設定又は解除を行うことができる。
【００９３】
この場合この編集装置１では、このようにして設定された各種パラメータ値及び各種機能モードの設定の有無が主制御部３のＲＡＭ２２に記憶保持され、この記憶保持された各種パラメータ値及び各種機能モードの設定の有無がこの後この映像特殊効果処理が用いられるときに引き継がれる。
【００９４】
このためこの編集装置１では、このような各種機能モードのうちの特に故障と間違えられやすいキーモードがオン設定されている場合には、その映像特殊効果処理のエフエクトアイコン６３Ａ〜６３Ｙがドラツグアンドドロツプにより編集リスト作成部３５のエフエクトトラツク３５Ｄ上に固定表示された段階において、当該エフエクトアイコン６３Ａ〜６３Ｙを通常色（トランジシヨン系では青、アニメーシヨン系ではシアン）と異なる警告色で表示するようになされている。
【００９５】
これによりこの編集装置１においては、編集リスト作成部３５のエフエクトトラツク３５Ｄ上に表示されたエフエクトアイコン６３Ａ〜６３Ｙの表示色に基づいて、対応する映像特殊効果処理についてキーモードがオン設定されているか否かをオペレータが容易にかつ瞬時に判別することができ、かくしてキーモードの誤設定に起因する編集映像の不具合の発生を未然に防止し得るようになされている。
【００９６】
なおこの実施の形態の場合、エフエクトアイコン６３Ａ〜６３Ｙが編集リスト作成部３５のエフエクトトラツク３５Ｄ上に固定表示された状態において、対応する映像特殊効果処理について後述のエフエクトセツトアツプダイアログ７０（図８）を用いてキーモードをオン設定した場合には、当該エフエクトセツトアツプダイアログ７０をクローズした段階において当該エフエクトアイコン６３Ａ〜６３Ｙを上述と同じ警告色で表示する。
【００９７】
そしてこの場合このような警告色としては、その映像特殊効果処理がトランジシヨン系及びアニメーシヨン系のいずれであるかに関わりなくマゼンダ（Ｒ＝128 、Ｇ＝０、Ｂ＝128 ）が選定されており、従つてキーモードがオン設定されている場合には対応するエフエクトアイコン６３Ａ〜６３Ｙが編集リスト作成部３５のエフエクトトラツク３５Ｄに固定表示された段階又はエフエクトセツトアツプダイアログ７０がクローズした段階において、当該エフエクトアイコン６３Ａ〜６３Ｙの背景以外の部分がマゼンダ色で表示される。
【００９８】
（４）映像特殊効果処理の各種詳細設定
ここでこの編集装置１の場合、上述のようにセレクトエフエクトダイアログ６２のユーザテンプレート６６上又は編集リスト作成部３５のエフエクトトラツク３５Ｄ上に移動されたエフエクトアイコン６３Ａ〜６３Ｙをダブルクリツクすることにより、図８に示すエフエクトセツトアツプダイアログ７０をメイン画面３０上に重ねて表示することができる。
【００９９】
この場合エフエクトセツトアツプダイアログ７０には複数のタブ７２Ａ〜７２Ｇが設けられており、これらタブ７２Ａ〜７２Ｇの中からマウス操作により所望するタブ７２Ａ〜７２Ｇを選択することによつて、これらタブ７２Ａ〜７２Ｇにそれぞれ対応する各種パラメータ値の設定及び変更や、各種機能モードの設定及び解除を行うことができる。
【０１００】
実際上、エフエクトセツトアツプダイアログ７０において、例えばエツジタブ７２Ａを選択した場合には、設定内容表示欄７３内に図８のようにソフトエツジ設定欄７４と、ボーダ設定欄７５とが表示される。このときソフトエツジ設定欄７４内には、「OFF 」及び「ON」の文字と、これらの文字にそれぞれ対応させていずれか一方のみをオン状態とすることのできる第１及び第２の選択ボタン７６Ａ、７６Ｂが表示される。
【０１０１】
そしてオペレータは、第１及び第２の選択ボタン７６Ａ、７６Ｂのいずれか一方をマウス操作により選択することができ、例えば第２の選択ボタン７６Ｂを選択することによりソフトエツジ処理（例えばワイプ時における２つの映像の境界又は２つの映像の境界に表示されたラインのエツジをぼかす処理）を実行させるように設定することができる。
【０１０２】
またソフトエツジ設定欄７４の第２の選択ボタン７６Ｂを選択した場合、そのぼかす幅の値（パラメータ値）をキーボード１５（図１）を介して入力することができ、このとき入力されたパラメータ値がソフトネス設定表示部７７内に表示される。なおこのパラメータ値は、対応するアツプダウンボタン７８Ａ、７８Ｂを用いて０〜255 の範囲内で自在に増減させることができる。
【０１０３】
一方エツジタブ７２Ａでは、ボーダ設定欄７５内にも「OFF 」及び「ON」の文字と、これらの文字にそれぞれ対応させていずれか一方のみをオン状態とすることのできる第１及び第２の選択ボタン７９Ａ、７９Ｂが表示される。
【０１０４】
そしてオペレータは、マウス操作により第１及び第２の選択ボタン７９Ａ、７９Ｂのいずれか一方を選択することができ、例えば第２の選択ボタン７９Ｂを選択することによりボーダ表示処理（例えばワイプ時における２つの映像の境界にラインを表示する処理）を実行させるように設定することができる。
【０１０５】
またボーダ設定欄７５の第２の選択ボタン７９Ｂを選択した場合、そのラインの幅（Width ）やラインの色相（Hue ）、彩度（Sat ）及び輝度（Lum ）のパラメータ値をキーボード１５を用いて設定することができ、このとき入力したパラメータ値がそれぞれ対応する幅設定表示部８０、色相設定表示部８１Ａ、彩度設定表示部８１Ｂ及び輝度設定表示部８１Ｃ内に表示され、このようにして設定した色相、彩度及び輝度に基づく色が色設定表示部８２内に表示される。なお幅設定表示部８０、色相設定表示部８１Ａ、彩度設定表示部８１Ｂ及び輝度設定表示部８１Ｃに表示された各パラメータ値は、それぞれ対応するアツプダウンボタン８３Ａ〜８３Ｈを用いて自在に増減することができる。
【０１０６】
一方エフエクトセツトアツプダイアログ７０では、選択されたタブ７２Ａ〜７２Ｇの種類に関わりなく、その右側にはこのエフエクトセツトアツプダイアログ７０をオープンさせるに際して指定（ダブルクリツク）したエフエクトアイコン６３Ａ〜６３Ｙの番号（Pattern No、図７の各エフエクトアイコン６３Ａ〜６３Ｙの下側に表示された数値）と、そのエフエクトアイコン６３Ａ〜６３Ｙの編集リスト作成部３５のエフエクトトラツク３５Ｄにおける先頭のタイムコード（Stert Point ）とがそれぞれパターン番号表示部８４及びスタートポイント表示部８５内に表示される。
【０１０７】
またエフエクトセツトアツプダイアログ７０では、これと共にその右側にトランジシヨン設定表示欄８６及びフアンクシヨン設定表示欄８７が表示され、トランジシヨン設定表示欄８６内にそのエフエクトアイコン６３Ａ〜６３Ｙに応じた映像特殊効果処理を施すべきフレーム数を表示するフレーム数表示部８８と、特殊効果処理された映像をモニタに表示させるリバースモードを設定又は解除するためのリバースチエツクボツクス８９と、リバースモード時において特殊効果処理された映像の再生命令を入力するためのオートリバーストランデイシヨンボタン９１と、そのときの再生速度を調整するための調整バー９０とが表示される。
【０１０８】
さらにフアンクシヨン設定表示欄８７内には、キー処理、トレイル処理及びライテング処理を設定又は解除するための第１〜第３のチエツクボツクス９１Ａ〜９１Ｂが表示される。そして所望する機能モードを設定する場合には対応する第１〜第３のチエツクボツクス９１Ａ〜９１Ｃ内をクリツクするようにする。この結果クリツクされた第１〜第３のチエツクボツクス９１Ａ〜９１Ｃ内にチエツクマーク９２が表示されてその機能モードがオン設定される。
【０１０９】
なおオン設定された機能モードを解除する場合には、チエツクマーク９２が表示された対応する第１〜第３のチエツクボツクス９１Ａ〜９１Ｃをクリツクするようにする。この結果チエツクマーク９２が消去されてその機能モードがオフ設定される。
【０１１０】
さらにエフエクトセツトアツプダイアログ７０では、その右下側にデフオルトボタン９３Ａ、ＯＫボタン９３Ｂ、キヤンセルボタン９３Ｃ及びヘルプボタン９３Ｄがそれぞれ表示される。そしてエフエクトセツトアツプダイアログ７０では、例えばデフオルトボタン９３Ａをクリツクすることによつて、設定内容表示欄７３の各設定表示部７４、７５内に表示されたパラメータ値を予め設定されている初期値に戻すことができる。
【０１１１】
またＯＫボタン９３Ｂをクリツクすることによつて、設定内容表示欄７３において設定した各パラメータ値を取り込ませて記憶保持させた後、このエフエクトセツトアツプダイアログ７０をクローズさせることができる。なおこのようにして記憶保持された各パラメータ値や各種機能モードの設定は、この後の編集処理時に反映される。
【０１１２】
さらにエフエクトセツトアツプダイアログ７０では、キヤンセルボタン９３Ｃをクリツクすることによつて、このエフエクトセツトアツプダイアログ７０を用いて設定し又は入力した各種機能モードやパラメータ値を全て破棄させた後（すなわち内部処理として設定モード変更処理やパラメータ値変更処理を行うことなく）、このエフエクトセツトアツプダイアログ７０をクローズさせることができる。そしてさらにヘルプボタン９３Ｄをクリツクすることによつて、所定のヘルプ情報をこのエフエクトセツトアツプダイアログ７０上に重ねて表示させることができる。
【０１１３】
（５）ＣＰＵ２０の各種処理手順
ここで実際上、主制御部３のＣＰＵ２０は、セレクトエフエクトダイアログ６２における上述のような処理を図９に示すセレクトエフエクトダイアログ処理手順ＲＴ１に従つて処理する。
【０１１４】
すなわちＣＰＵ２０は、編集リスト作成モード時、メイン画面３０のセレクトエフエクトボタン３３Ｒがクリツクされると、このセレクトエフエクトダイアログ処理手順ＲＴ１をステツプＳＰ１において開始し、続くステツプＳＰ２においてセレクトエフエクトダイアログ６２をメイン画面３０上に重ねて表示させる。
【０１１５】
このときＣＰＵ２０は、ＲＡＭ２２に格納されている各映像特殊効果処理のエフエクトアイコン６３Ａ〜６３Ｙの画像データに基づいて、オープンした初期状態においてセレクトエフエクトダイアログ６２内に表示すべき各エフエクトアイコン６３Ａ〜６３Ｙについて、トランジシヨン系の映像特殊効果処理のエフエクトアイコン６３Ａ〜６３Ｙを青色で表示し、アニメーシヨン系の映像特殊効果処理のエフエクトアイコン６３Ａ〜６３Ｙをシアンで表示する。
【０１１６】
次いでＣＰＵ２０は、ステツプＳＰ３に進んでこの後ステツプＳＰ３〜ステツプＳＰ７において、いずれかのタブ６４Ａ〜６４Ｇが選択されたか否か、セレクトエフエクトダイアログ６２内に表示されているいずれかのエフエクトアイコン６３Ａ〜６３Ｙがドラツグされたか否か、セレクトエフエクトダイアログ６２内のユーザテンプレート６６上に表示されたエフエクトアイコン６３Ａ〜６３Ｙがダブルクリツクされたか否か、セレクトエフエクトダイアログ６２のクローズボタン６５Ａがクリツクされたか否か、他のボタン６５Ｂ〜６５Ｅがクリツクされるなどして他の入力があつたか否かを順次判断する。
【０１１７】
そしてＣＰＵ２０は、ステツプＳＰ３〜ステツプＳＰ７において全て否定結果を得るとステツプＳＰ３に戻り、この後ステツプＳＰ３〜ステツプＳＰ７のいずれかにおいて肯定結果を得るまでステツプＳＰ３−ＳＰ４−ＳＰ５−ＳＰ６−ＳＰ６−ＳＰ７−ＳＰ３のループを繰り返す。
【０１１８】
これに対してＣＰＵ２０は、ステツプＳＰ３において肯定結果を得ると、ステツプＳＰ８に進んでそのタブ６４Ａ〜６４Ｇを表示した後ステツプＳＰ３に戻る。このときＣＰＵ２０は、ＲＡＭ２２に格納されている各エフエクトアイコン６３Ａ〜６３Ｙの画像データに基づいて、トランジシヨン系の映像特殊効果処理の各エフエクトアイコン６３Ａ〜６３Ｙをセレクトエフエクトダイアログ６２内の対応する位置に青色でそれぞれ表示し、アニメーシヨン系の映像特殊効果処理の各エフエクトアイコン６３Ａ〜６３Ｙをセレクトエフエクトダイアログ６２内の対応する位置にシアン色で表示する。
【０１１９】
またＣＰＵ２０は、ステツプＳＰ４において肯定結果を得ると、ステツプＳＰ９に進んで対応するエフエクトアイコン６３Ａ〜６３Ｙをカーソルと一体にメイン画面３０上を移動するように移動表示させる。またＣＰＵ２０は、続くステツプＳＰ１０においてそのエフエクトアイコン６３Ａ〜６３Ｙがドロツプされたか否かを判断して否定結果を得るとステツプＳＰ９に戻り、この後このステツプＳＰ１０において肯定結果を得るまでステツプＳＰ９−ＳＰ１０−ＳＰ９のループを繰り返す。
【０１２０】
そしてＣＰＵ２０は、やがてステツプＳＰ１０において肯定結果を得ると、ステツプＳＰ１１に進んでそのエフエクトアイコン６３Ａ〜６３Ｙがドロツプされたのがメイン画面３０の編集リスト作成部３５のエフエクトトラツク３５Ｄ上であつたか否かを判断し、否定結果を得るとステツプＳＰ１３に進み、これに対して肯定結果を得ると、ステツプＳＰ１２に進んでそのエフエクトアイコン６３Ａ〜６３Ｙに対応する映像特殊効果処理についてキーモードがオン設定されているか否かを判断する。
【０１２１】
そしてＣＰＵ２０は、このステツプＳＰ１２において否定結果を得ると、ステツプＳＰ１３に進んでそのエフエクトアイコン６３Ａ〜６３Ｙを通常色でドロツプされた位置に固定表示した後ステツプＳＰ３に戻り、これに対して肯定結果を得ると、ステツプＳＰ１４に進んでそのエフエクトアイコン６３Ａ〜６３Ｙをマゼンダで表示した後ステツプＳＰ３に戻る。
【０１２２】
一方ＣＰＵ２０は、ステツプＳＰ５において肯定結果を得るとステツプＳＰ１５に進んで図１０に示す第１のエフエクトセツトアツプダイアログ処理手順ＲＴ２を選択し、当該エフエクトセツトアツプダイアログ処理手順ＲＴ２に従つて上述のようなエフエクトセツトアツプダイアログ７０における各種処理を実行した後、ステツプＳＰ３に戻る。
【０１２３】
またＣＰＵ２０は、ステツプＳＰにおいて肯定結果を得るとステツプＳＰ１６に進んでセレクトエフエクトダイアログ６２をクローズした後このセレクトエフエクトダイアログ処理手順ＲＴ１を終了し、これに対してステツプＳＰ７において肯定結果を得ると、ステツプＳＰ１７に進んで対応する処理を実行した後ステツプＳＰ３に戻る。
【０１２４】
なおＣＰＵ２０は、ステツプＳＰ１６において第１のエフエクトセツトアツプダイアログ処理手順ＲＴ２（図１０）を選択した場合、これをステツプＳＰ２０において開始し、続くステツプＳＰ２１においてエフエクトセツトアツプダイアログ７０をメイン画面３０上に重ねて表示させる。
【０１２５】
このときＣＰＵ２０は、ＲＡＭ２２に格納されているその映像特殊効果処理についての各種データに基づいて、先行して設定された各種パラメータ値をそれぞれ対応する表示部７７、８０、８１Ａ〜８１Ｃ（図８）に表示し、かつ各種機能モードが設定されている場合には対応するチエツクボツクス９１Ａ〜９１Ｃ（図８）内にチエツクマーク９２を表示させる。
【０１２６】
続いてＣＰＵ２０は、ステツプＳＰ２２に進んでこの後ステツプＳＰ２２〜ステツプＳＰ２４において、エフエクトセツトアツプダイアログ７０のＯＫボタン９３Ｂがクリツクされたか否か、キヤンセルボタン９３Ｃがクリツクされたか否か、及び他のボタン９３Ｃ、９３Ｄがクリツクされ又はパラメータ値が入力されるなど、他の入力があつたか否かを順次判断する。
【０１２７】
そしてＣＰＵ２０は、ステツプＳＰ２２〜ステツプＳＰ２４の全てにおいて否定結果を得るとステツプＳＰ２２に戻り、この後これらステツプＳＰ２２〜ステツプＳＰ２４のいずれかにおいて肯定結果を得るまでステツプＳＰ２２−ＳＰ２３−ＳＰ２４−ＳＰ２２のループを繰り返す。
【０１２８】
これに対してＣＰＵ２０は、ステツプＳＰ２２において肯定結果を得ると、ステツプＳＰ２５に進んでそのエフエクトセツトアツプダイアログ７０を用いて設定された各種パラメータ値と、各種機能モードの設定の有無となどのデータをＲＡＭ２２に取り込んだ後、ステツプＳＰ２６に進んでこのエフエクトセツトアツプダイアログ７０をクローズさせ、この後ステツプＳＰ２７に進んでこの第１のエフエクトセツトアツプダイアログ処理手順ＲＴ１を終了する。
【０１２９】
またＣＰＵ２０は、ステツプＳＰ２３において肯定結果を得るとステツプＳＰ２６に進み、これに対してステツプＳＰ２４において肯定結果を得ると、ステツプＳＰ２８に進んで対応する処理を実行した後ステツプＳＰ２２に戻る。
【０１３０】
一方ＣＰＵ２０は、編集リスト作成モード時において、例えばメイン画面３０の編集リスト作成部３５のエフエクトトラツク３５Ｄ上に表示されたエフエクトアイコン６３Ａ〜６３Ｙがダブルクリツクされた場合には、図１１に示す第２のエフエクトセツトアツプダイアログ処理手順ＲＴ３に従つて上述のような各種処理を実行する。
【０１３１】
すなわちＣＰＵ２０は、メイン画面３０の編集リスト作成部３５のエフエクトトラツク３５Ｄ上に表示されたエフエクトアイコン６３Ａ〜６３Ｙがダブルクリツクされるとこの第２のエフエクトセツトアツプダイアログ処理手順ＲＴ３をステツプＳＰ３０において開始し、この後ステツプＳＰ３１〜ステツプＳＰ３７を第１のエフエクトセツトアツプダイアログ処理手順ＲＴ2 （図１０）のステツプＳＰ２１〜ステツプＳＰ２６及びステツプＳＰ２８と同様に順次処理する。
【０１３２】
そしてＣＰＵ２０は、ステツプＳＰ３６においてエフエクトセツトアツプダイアログ７０をクローズさせた場合には、ステツプＳＰ３８に進んでその映像特殊効果処理についてキーモードがオン設定されているか否かを判断する。
【０１３３】
そしてＣＰＵ２０は、このステツプＳＰ３８において肯定結果を得ると、ステツプＳＰ３９に進んで対応するエフエクトアイコン６３Ａ〜６３Ｙの背景以外の部分の表示色をマゼンタに変えた後、ステツプＳＰ４０に進んでこの第２のエフエクトセツトアツプダイアログ処理手順ＲＴ３を終了する。またＣＰＵ２０は、ステツプＳＰ３８において否定結果を得ると、直接ステツプＳＰ４０に進んでこの第２のエフエクトセツトアツプダイアログ処理手順ＲＴ３を終了する。
【０１３４】
（５）本実施の形態の動作及び効果
以上の構成において、この編集装置１では、編集リストの作成モード時、メイン画面３０のセレクトエフエクトボタン３３Ｒをクリツクすることによりセレクトエフエクトダイアログ６２をオープンさせることができ、このセレクトエフエクトダイアログ６２内に表示されたエフエクトアイコン６３Ａ〜６３Ｙのうちの所望する映像特殊効果処理に対応するエフエクトアイコン６３Ａ〜６３Ｙをドラツグアンドドロツプによりメイン画面３０の編集リスト作成部３５のエフエクトトラツク３５Ｄにおける所定位置に移動させて貼り付けるように表示させることによりその映像特殊効果処理を実行させるように設定することができる。
【０１３５】
そしてこの場合この編集装置１では、メイン画面３０及びセレクトエフエクトダイアログ６２上において、トランジシヨン系の映像特殊効果処理のエフエクトアイコン６３Ａ〜６３Ｙが青色で表示され、アニメーシヨン系の映像特殊効果処理の各エフエクトアイコン６３Ａ〜６３Ｙがシアンで表示される。
【０１３６】
またキーモードがオン設定された映像特殊効果処理については、対応するエフエクトアイコン６３Ａ〜６３Ｙを編集リスト作成部３５のエフエクトトラツク３５Ｄ上にドロツプした段階、又はエフエクトセツトアツプダイアログ７０をクローズした段階において、対応するエフエクトアイコン６３Ａ〜６３Ｙがマゼンダで表示される。
【０１３７】
従つてこの編集装置１では、エフエクトアイコン６３Ａ〜６３Ｙの表示色に基づいてそのエフエクトアイコン６３Ａ〜６３Ｙに対応する映像特殊効果処理がトランジシヨン系及びアニメーシヨン系のいずれであるか、及びそのエフエクトアイコン６３Ａ〜６３Ｙに対応する映像特殊効果処理についてキーモードがオン設定されているか否かをオペレータが容易にかつ瞬時に判別でき、その分編集リストの作成作業をより容易化させることができる。
【０１３８】
以上の構成によれば、メイン画面３０及びセレクトエフエクトダイアログ６２上において、トランジシヨン系の映像特殊効果処理のエフエクトアイコン６３Ａ〜６３Ｙと、アニメーシヨン系の映像特殊効果処理のエフエクトアイコン６３Ａ〜６３Ｙとをそれぞれ異なる所定色で表示するようにしたことにより、各エフエクトアイコン６３Ａ〜６３Ｙの色に基づいて対応する映像特殊効果処理がトランジシヨン系及びアニメーシヨン系のいずれであるかを容易にかつ瞬時に判別し得るようにすることができ、かくして編集リストの作成作業の作業効率を格段的に向上させ得る編集装置を実現できる。
【０１３９】
またキーモードがオン設定された映像特殊効果処理については、対応するエフエクトアイコン６３Ａ〜６３Ｙを編集リスト作成部３５のエフエクトトラツク３５Ｄ上にドロツプした段階又はエフエクトセツトアツプダイアログ７０をクローズした段階において対応するエフエクトアイコン６３Ａ〜６３Ｙを通常色と異なる警告色で表示するようにしたことにより、編集リスト作成部３５のエフエクトトラツク３５Ｄにおけるエフエクトアイコン６３Ａ〜６３Ｙの表示色に基づいてキーモードがオン設定されているか否かを瞬時に判別し得るようにすることができ、かくして編集リストの作成作業の作業効率をより向上させ得る編集装置を実現できる。
【０１４０】
（６）他の実施の形態
なお上述の実施の形態においては、本発明を図１のように構成された編集装置１に適用するようにした場合について述べたが、本発明はこれに限らず、登録された複数の映像素材を繋ぎ合わせて所望の編集映像を得るための編集内容を規定した編集リストを作成でき、当該編集リストの作成時には所望する映像特殊効果処理に対応するマークを編集リストにおける所定部位の所望位置に表示させるようにして当該映像特殊効果処理を実行するように設定するようになされたこの他種々の構成の編集リスト作成装置に広く適用することができる。
【０１４１】
また上述の実施の形態においては、編集リストにおいて設定された各映像特殊効果処理を認識し、識別するための各映像特殊効果処理毎に異なるマークとして、例えば図７のようなエフエクトアイコン６３Ａ〜６３Ｙを適用するようにした場合について述べたが、本発明はこれに限らず、この他種々の形態のマークを広く適用することができる。
【０１４２】
さらに上述の実施の形態においては、編集リストを作成するための所定の編集リスト作成用画面（本実施の形態においてはメイン画面３０）を表示する表示手段としてのデイスプレイ１２に、エフエクトアイコン６３Ａ〜６３Ｙを映像特殊効果処理の種類に応じた種類毎に異なる色で表示させる表示制御手段として、編集装置１全体の制御を司る主制御部３のＣＰＵ２０を適用するようにした場合について述べたが、本発明はこれに限らず、このような表示制御手段をＣＰＵ２０と別体に設けるようにしても良い。
【０１４３】
さらに上述の実施の形態においては、映像特殊効果処理の種類をトラジシヨン系及びアニメーシヨン系の２つに分類し、これら２種類についてエフエクトアイコン６３Ａ〜６３Ｙを異なる表示色で表示するようにした場合について述べたが、本発明はこれに限らず、映像特殊効果処理の種類をトラジシヨン系及びアニメーシヨン系以外の分類法により複数種類に分類して、各種類毎に異なる表示色で表示するようにしても良い。またこの場合においても各種類の表示色を同系色に選定することによつて、各種類のエフエクトアイコンのイメージを近いものとすることができる。
【０１４４】
さらに上述の実施の形態においては、トランジシヨン系の映像特殊効果処理に対応するエフエクトアイコン６３Ａ〜６３Ｙを青色で表示し、アニメーシヨン系に対応するエフエクトアイコン６３Ａ〜６３Ｙをシアンで表示するようにした場合について述べたが、本発明はこれに限らず、これら表示色としてはこれ以外の表示色を広く適用することができる。
【０１４５】
さらに上述の実施の形態においては、編集リストを作成するための所定の編集リスト作成用画面（本実施の形態においてはメイン画面３０）を表示する表示手段としてのデイスプレイ１２に、キーモードがオン設定された映像特殊効果処理について、対応するエフエクトアイコン６３Ａ〜６３Ｙを通常の表示色と異なる警告色で表示させる表示制御手段として編集装置１全体の制御を司る主制御部３のＣＰＵ２０を適用するようにした場合について述べたが、本発明はこれに限らず、このような表示制御手段をＣＰＵ２０と別体に設けるようにしても良い。
【０１４６】
さらに上述の実施の形態においては、キーモードがオン設定された映像特殊効果処理について、対応するエフエクトアイコン６３Ａ〜６３Ｙを通常の表示色と異なる警告色で表示するようにした場合について述べたが、本発明はこれに限らず、キーモード以外の機能モードについても本発明を適用するようにしても良く、このようにしても上述の実施の形態と同様の効果を得ることができる。
【０１４７】
さらに上述の実施の形態においては、キーモードがオン設定された映像特殊効果処理について、対応するエフエクトアイコン６３Ａ〜６３Ｙをメイン画面３０の編集リスト作成部３５のエフエクトトラツク３５Ｄ上に表示された段階において警告色で表示するようにした場合について述べたが、本発明はこれに限らず、エフエクトトラツク３５Ｄ以外の場所においても警告色で表示するようにしても良い。
【０１４８】
さらに上述の実施の形態においては、キーモードがオン設定された映像特殊効果処理について、対応するエフエクトアイコン６３Ａ〜６３Ｙをトラジシヨン系及びアニメーシヨン系に関わりなくマゼンダで表示するようにした場合について述べたが、本発明はこれに限らず、マゼンダ以外の色で表示するようにしても良い。
【０１４９】
またこの場合トラジシヨン系及びアニメーシヨン系毎に異なる警告色で表示するようにしても良く、この場合においてトラジシヨン系及びアニメーシヨン系の警告色をそれぞれトラジシヨン系及びアニメーシヨン系についての通常の表示色と同系色にすることによつて、キーモードがオン設定された映像特殊効果処理についてもメイン画面３０の編集リスト作成部３５のエフエクトトラツク３５Ｄ上においてトラジシヨン系及びアニメーシヨン系のいずれかを容易にかつ瞬時に判別し得るようにすることができる。
【０１５０】
【発明の効果】
以上のように本発明によれば、登録された複数の映像素材を繋ぎ合わせて所望の編集映像を得るための編集内容を規定した編集リストを作成する編集リスト作成装置において、編集映像における時間軸に対応させて映像素材を表すクリツプを配置するためのビデオトラツクと、映像素材に対して実行されるトラジシヨン処理に対応し第１の色を有する第１のマーク及び映像素材に対して実行されるアニメーシヨン処理に対応し第２の色を有する第２のマークを配置するために設けられ、時間軸に対応したエフエクトトラツクを表示装置に表示する表示制御手段と、オペレータの操作に応じてエフエクトトラツク上に第１及び第２のマークのうち少なくとも一つのマークが配置されると、当該配置されたマークごとに、映像素材に対して対応するトランジシヨン処理又はアニメーシヨン処理を当該マークが配置された時間に実行するよう設定をする映像処理設定手段と、トランジシヨン処理又はアニメーシヨン処理を実行するよう設定された映像素材に対する機能モードを設定するモード設定手段とを設け、表示制御手段は、機能モードとして２つの映像を重ね合わせるキーモードが映像素材に対して設定されている場合には、当該映像素材に設定されたトランジシヨン処理及びアニメーシヨン処理に対応する配置されたマークを第３の色で表示することにより、第１又は第２のマークの色に基づいて対応する映像特殊処理がトランジシヨン処理又はアニメーシヨン処理のいずれであるかをオペレータに対して容易かつ瞬時に判断させ得ると共に、マークが配置された映像素材にキーモードが設定されているか否かをオペレータに対して容易かつ瞬時に判断させ得、かくして編集リストの作成作業の作業効率を格段に向上させ得る編集リスト作成装置を実現できる。
【図面の簡単な説明】
【図１】本実施の形態による編集装置の全体構成を示すブロツク図である。
【図２】主制御部の構成を示すブロツク図である。
【図３】メイン画面を示す略線図である。
【図４】ビデオクリツプエデイツトダイアログを示す略線図である。
【図５】メイン画面を示す略線図である。
【図６】メイン画面を示す略線図である。
【図７】セレクトエフエクトダイアログを示す略線図である。
【図８】エフエクトセツトアツプダイアログを示す略線図である。
【図９】セレクトエフエクトダイアログ処理手順を示すフローチヤートである。
【図１０】第１のエフエクトセツトアツプダイアログ処理手順を示すフローチヤートである。
【図１１】第２のエフエクトセツトアツプダイアログ処理手順を示すフローチヤートである。
【図１２】従来の編集装置における編集リスト作成画面の一部構成例を示す略線図である。
【図１３】トランジシヨン系及びアニメーシヨン系の各映像特殊効果の説明に供する概念図である。
【符号の説明】
１……編集装置、３……主制御部、１３……マウス、１５……キーボード、２０……ＣＰＵ、２２……ＲＡＭ、３０……メイン画面、３５……編集リスト作成部、３５Ａ……タイムスケール、３５Ｃ、３５Ｅ……ビデオトラツク、３５Ｄ……エフエクトトラツク、６０Ａ〜６０Ｄ……枠、６２……セレクトエフエクトダイアログ、６３Ａ〜６３Ｙ……エフエクトアイコン、７０……エフエクトセツトアツプダイアログ、ＲＴ１……セレクトエフエクトダイアログ、ＲＴ２……第１のエフエクトセツトアツプダイアログ処理手順、ＲＴ３……第２のエフエクトセツトアツプダイアログ処理手順。
【図１】
0004131300.tif 000002
【図２】
0004131300.tif 000003
【図３】
0004131300.tif 000004
【図４】
0004131300.tif 000005
【図５】
0004131300.tif 000006
【図６】
0004131300.tif 000007
【図７】
0004131300.tif 000008
【図８】
0004131300.tif 000009
【図９】
0004131300.tif 000010
【図１０】
0004131300.tif 000011
【図１１】
0004131300.tif 000012
【図１２】
0004131300.tif 000013
【図１３】
0004131300.tif 000014